(57)【要約】【課題】  １種類の軸受梱包箱で複数サイズの軸受包装体をそれぞれ梱包できるようにする。【解決手段】  軸受梱包箱は、各種サイズの軸受包装体３の中から任意の軸受包装体３を１個収容可能な個装箱４と、個装箱４と軸受包装体３との間のすきまに設けられる緩衝材５とを備える。緩衝材５は、１枚の紙製の台紙、または紙以外のシートからなるシート状素材を折り曲げて成形される。シート状素材に、軸受包装体３のサイズに応じて複数種の形状に折り曲げ可能とする折り目７，８，９Ａ，９Ｂを設ける。緩衝材５は、両面が個装体４の底面部４ａと軸受包装体３の下面にそれぞれ接する下部水平部５ａと、片面が個装箱４の天面部４ｃに接する上部水平部５ｃと、これら下部水平部５ａおよび上部水平部５ｃとを連結する上下連結部５ｂと、上部水平部５ｃから下方に延びて下端が軸受包装体３の上面に接する垂直押え部５ｄとを有する。【選択図】        図１
2014040258.tif 000002
【特許請求の範囲】
【請求項１】
軸受を包装した各種サイズの軸受包装体の中から任意の軸受包装体を１個収容可能な個装箱と、この個装箱の内面とこの個装箱に収容されている前記軸受包装体との間のすきまに設けられる緩衝材とを備え、前記緩衝材は、１枚のシート状素材を折り曲げて成形されたものであり、前記シート状素材に、前記軸受包装体のサイズに応じて複数種の形状に折り曲げ可能とする折り目を設けたことを特徴とする軸受梱包箱。
【請求項２】
請求項１において、前記緩衝材は、両面が前記個装体の底面部と前記軸受包装体の下面にそれぞれ接する下部水平部と、片面が前記個装箱の天面部に接する上部水平部と、これら下部水平部および上部水平部とを連結する上下連結部と、前記上部水平部から下方に延びて下端が前記軸受包装体の上面に接する垂直押え部とを有する軸受梱包箱。
【請求項３】
請求項２において、前記緩衝材の垂直押え部は、前記軸受包装体のサイズに応じて前記シート状素材の一部分を前記折り目に沿って折り曲げて成形されたものである軸受梱包箱。
【請求項４】
請求項２または請求項３において、前記緩衝材の垂直押え部は、内部に空間を有し垂直方向の衝撃を吸収可能な構造である軸受梱包箱。
【請求項５】
請求項２ないし請求項４のいずれか１項において、前記緩衝材の下部水平部と前記軸受包装体とを接着剤で接着した軸受梱包箱。
【請求項６】
請求項２ないし請求項４のいずれか１項において、前記緩衝材は、前記軸受包装体の上面に接触しこの上面に沿って延びる上面接触部を有し、前記緩衝材の下部水平部、前記軸受包装体、および前記緩衝材の上面接触部を、これらの外周にフィルム状または紐状の巻回部材を外周に巻き付けることで互いに固定した軸受梱包箱。
【請求項７】
請求項６において、前記緩衝材の下部水平部、および前記緩衝材の上面接触部の少なくとも片方は、その前記巻回部材の巻き付け方向の幅が前記軸受包装体よりも狭い軸受梱包箱。
【請求項８】
請求項２ないし請求項７のいずれか１項において、前記シート状素材は、１枚の厚紙もしくはダンボール製の台紙、または不繊布、樹脂、もしくはゴム製のシートである軸受梱包箱。
【請求項９】
請求項２ないし請求項８のいずれか１項において、前記緩衝材は、前記シート状素材を折り曲げて柱状に成形され両端が前記個装箱の底面部および天面部にそれぞれ接するように配置される柱部を有する軸受梱包箱。
【発明の詳細な説明】
【技術分野】
【０００１】
この発明は、軸受を包装した軸受包装体の梱包に用いられる軸受梱包箱に関する。
【背景技術】
【０００２】
一般に、製造された軸受は、袋状の容器に密封状態で入れて軸受包装体とし、この軸受包装体を１個ずつ個装箱に詰めて梱包して出荷される。梱包の際に、個装箱内で軸受包装体が移動することを避けるとともに、外からの衝撃が中の軸受包装体に伝わり難くするように、個装箱と軸受包装体との間にすきまを埋める緩衝材が入れられる。この緩衝材として、所定形状に打ち抜かれたダンボール製の台紙を組み立てて成形したものが提案されている（例えば特許文献１）。
【先行技術文献】
【特許文献】
【０００３】
【特許文献１】特開２００５−８２０８号公報
【発明の概要】
【発明が解決しようとする課題】
【０００４】
従来、軸受の梱包では、軸受包装体のサイズごとに、個装箱および緩衝材のサイズを変えていた。特許文献１のように、緩衝材がダンボール製の組立式のものである場合でも、組み上がりの形状は一定であり、１サイズの軸受包装体および個装箱にしか対応できなかった。そのため、個装箱および緩衝材の種類が多くなり、個装箱および緩衝材の製造コストが高くなるとともに、資材管理および製造管理が面倒であった。
【０００５】
この発明の目的は、１種類の軸受梱包箱で複数サイズの軸受包装体をそれぞれ梱包できるようにすることである。
【課題を解決するための手段】
【０００６】
この発明の軸受梱包箱は、軸受を包装した各種サイズの軸受包装体の中から任意の軸受包装体を１個収容可能な個装箱と、この個装箱の内面とこの個装箱に収容されている前記軸受包装体との間のすきまに設けられる緩衝材とを備え、前記緩衝材は、１枚のシート状素材を折り曲げて成形されたものであり、前記シート状素材に、前記軸受包装体のサイズに応じて複数種の形状に折り曲げ可能とする折り目を設けたことを特徴とする。
【０００７】
この構成によると、個装箱と軸受包装体との間のすきまに緩衝材を設けたことにより、個装箱内で軸受包装体が移動することを防止できるとともに、外からの衝撃が軸受包装体伝わり難くなる。軸受包装体のサイズに応じてシート状素材を折り曲げることにより、個装箱と軸受包装体との間のすきまに合った緩衝材が成形される。そのため、複数サイズの軸受包装体に対して、同じ個装体で対応することができる。シート状素材には折り曲げ用の折り目が設けられているため、軸受包装体のサイズに応じたシート状素材の折り曲げは容易である。
【０００８】
この発明において、前記緩衝材は、両面が前記個装体の底面部と前記軸受包装体の下面にそれぞれ接する下部水平部と、片面が前記個装箱の天面部に接する上部水平部と、これら下部水平部および上部水平部とを連結する上下連結部と、前記上部水平部から下方に延びて下端が前記軸受包装体の上面に接する垂直押え部とを有するのが良い。
緩衝材が上記構成であると、上下連結部により下部水平部と上部水平部との距離が一定に定められ、下部水平部が個装箱の底面部に接し、かつ上部水平部が個装箱の天面部に接する状態に保たれる。軸受包装体は、緩衝材の下部水平部の上に載せられ、垂直押え部により上から押えることにより、垂直方向の移動が拘束される。
【０００９】
前記緩衝材の垂直押え部は、前記軸受包装体のサイズに応じて前記シート状素材の一部分を前記折り目に沿って折り曲げて成形されたものであるのが良い。
この場合、１枚のシート状素材から軸受包装体のサイズに合った垂直押え部を成形することができる。
【００１０】
前記緩衝材の垂直押え部は、内部に空間を有し垂直方向の衝撃を吸収可能な構造としてもよい。
この場合、外部からの垂直方向の衝撃が軸受包装体により一層伝わり難くなる。
【００１１】
前記緩衝材の下部水平部と前記軸受包装体とを接着剤で接着してもよい。
これにより、緩衝材と軸受包装体とが互いに固定され、軸受包装体が水平方向にも移動しなくなる。
【００１２】
前記緩衝材は、前記軸受包装体の上面に接触しこの上面に沿って延びる上面接触部を有し、前記緩衝材の下部水平部、前記軸受包装体、および前記緩衝材の上面接触部を、これらの外周にフィルム状または紐状の巻回部材を巻き付けることで互いに固定してもよい。
この場合も、緩衝材と軸受包装体とが互いに固定され、軸受包装体が垂直方向にも水平方向にも移動しなくなる。
【００１３】
前記巻回部材を用いる場合、前記緩衝材の下部水平部、および前記緩衝材の上面接触部の少なくとも片方を、その前記巻回部材の巻き付け方向の幅が前記軸受包装体よりも狭くするのがよい。
この構成であると、軸受包装体に接触する状態で巻回部材が巻かれるため、緩衝材と軸受包装体を強固に固定することができる。
【００１４】
この発明において、前記シート状素材は、１枚の厚紙もしくはダンボール製の台紙、または不繊布、樹脂、もしくはゴム製のシートであるのが良い。
上記台紙またはシートは、緩衝効果に優れかつ折り曲げが容易であるので、シート状素材として適する。
【００１５】
この発明において、前記緩衝材は、前記シート状素材を折り曲げて柱状に成形され両端が前記個装箱の底面部および天面部にそれぞれ接するように配置される柱部を有していてもよい。
柱部を有していると、軸受梱包箱全体の垂直方向の外力に対する強度を向上させることができる。
【発明の効果】
【００１６】
この発明の軸受梱包箱体は、軸受を包装した各種サイズの軸受包装体の中から任意の軸受包装体を１個収容可能な個装箱と、この個装箱の内面とこの個装箱に収容されている前記軸受包装体との間のすきまに設けられる緩衝材とを備え、前記緩衝材は、１枚のシート状素材を折り曲げて成形されたものであり、前記シート状素材に、前記軸受包装体のサイズに応じて複数種の形状に折り曲げ可能とする折り目を設けたため、１種類の軸受梱包箱で複数サイズの軸受包装体をそれぞれ梱包することができる。
【図面の簡単な説明】
【００１７】
【図１】この発明の一実施形態にかかる軸受梱包箱の破断側面図である。
【図２】同軸受梱包箱の緩衝材に用いられるシート状素材の展開図である。
【図３】この発明の異なる実施形態にかかる軸受梱包箱の破断側面図である。
【図４】この発明のさらに異なる実施形態にかかる軸受梱包箱の破断側面図である。
【図５】同軸受梱包箱の個装箱を省略した斜視図である。
【図６】この発明のさらに異なる実施形態にかかる軸受梱包箱の断面図である。
【図７】図６のVII−VII断面図である。
【図８】同軸受梱包箱の緩衝材に用いられるシート状素材の展開図である。
【発明を実施するための形態】
【００１８】
以下、この発明の実施形態を図面に基づき説明する。
図１は、この発明の一実施形態を示す。この軸受梱包箱は、軸受１を袋状の容器２の内部に密封状態で収容した軸受包装体３を梱包するためのものであり、軸受包装体３が１個収容される個装箱４と、この個装箱４と軸受包装体３との間のすきまに設けられる緩衝材５とでなる。
【００１９】
個装箱４は、紙、プラスチック等からなり、底面部４ａ、４面の側面部４ｂ、および天面部４ｃで構成された直方体形状をしている。これら底面部４ａ、４面の側面部４ｂ、および天面部４ｃのうち少なくとも１面は取り外し可能、または開閉可能となっており、その取り外し可能または開閉可能な面から軸受包装体３および緩衝材５を個装箱４の中に出し入れする。
【００２０】
緩衝材５は、個装体４の底面部４ａに接する下部水平部５ａと、この下部水平部５ａの左右両端に連なり個装体４の４面の側面部４ｂのうち互いに対向する左右の２面に接する上下連結部５ｂと、この上下連結部５ｂの上端に連なり個装箱４の天面部４ｃに接する左右一対の上部水平部５ｃと、各上下水平部５ｃの先端からそれぞれ下方に延びる垂直押え部５ｄと、各垂直押え部５ｄの下端から軸受包装体３の上面に沿って左右内側にそれぞれ延びる上面接触部５ｅとでなる。この例では、上下連結部５ｂは、個装体４の側面部４ｂに接しているが、必ずしも接していなくても良い。要は、下部水平部５ａと上部水平部５ｃとの距離を一定に保つように、両部５ａ，５ｂを互い連結するものであればよい。また、図１では、左右の上面接触部５ｅの先端が互いに接しているが、接していなくてもよい。
【００２１】
緩衝材５は、図２に示す１枚のシート状素材６を折り曲げて成形される。シート状素材６は、厚紙もしくはダンボール製の台紙、または不繊布、樹脂、もしくはゴム製のシートからなる。同図において、シート状素材６は左右に長い長方形で、上下方向に複数本の折り目７，８，９が付けられている。これらの折り目７，８，９は、例えばシート状素材６を両面から加圧して部分的に厚みを薄くすることによって折れ曲がり易くした線状部分である。前記折り目７，８，９は、ミシン目によって折れ曲がり易くした線状部分であってもよい。
【００２２】
２本の折り目７間の部位が、緩衝材５として成形された状態における下部水平部５ａとなる。折り目７，８間の部位が、下部水平部５ａとなる部位に対して折り目７に沿って紙面手前側に折り曲げられて、緩衝材５における上下連結部５ｂとなる。折り目８，９間の部位が、上下連結部５ｂとなる部位に対して折り目８に沿って紙面手前側に折り曲げられて、緩衝材５における上部水平部５ｃとなる。
【００２３】
左右各複数本ある折り目９のうち、実際にシート状素材６が折り曲げられる折り目９Ａ，９Ｂは左右２本ずつであり、どの折り目９でシート状素材６を折り曲げるかは軸受包装体３の上下寸法ａ（図１）により決定される。すなわち、折り目９Ａ，９Ｂ間の距離は、個装箱４の天面部４ｃから軸受包装体３の上面までの寸法ｂ（図１）と一致させる。
【００２４】
折り目９Ａ，９Ｂ間の部位が、上部水平部５ｃとなる部位に対して折り目９Ａに沿って図２の紙面手前側に折り曲げられて、緩衝材５における垂直押え部５ｄとなる。また、折り目９Ｂよりも先の部位が、垂直押え部５ｄとなる部位に対して折り目９Ｂに沿って図２の紙面向こう側に折り曲げられて、緩衝材５における上面接触部５ｅとなる。
【００２５】
図１において、個装箱４内の軸受包装体３は、緩衝材５の下部水平部５ａの上に載せられ、垂直押え部４ｄにより上から押えられた状態となっている。このため、垂直方向の移動が拘束される。この実施形態では、緩衝材５の下部水平部５ａと軸受包装体３とを接着剤１１で接着している。そのため、軸受包装体３が水平方向にも移動しない。また、個装箱４と軸受包装体３との間のすきまに緩衝材５が設けられていると、外からの衝撃が軸受包装体３に伝わり難くい。これにより、軸受包装体３の移動や外部からの衝撃による軸受１の傷付きを防止できる。
【００２６】
軸受包装体３のサイズに応じてシート状素材６を折り曲げることにより、個装箱４と軸受包装体３との間のすきまに合った緩衝材５が成形される。詳しくは、緩衝材５の垂直押え部５ｄが、軸受包装体３のサイズに応じてシート状素材６の一部分を折り目９Ａ，９Ｂに沿って折り曲げて成形される。このため、複数サイズの軸受包装体３に対して、同じ個装体４で対応することができる。シート状素材６には折り曲げ用の折り目７，８，９が設けられているため、軸受包装体３のサイズに応じたシート状素材６の折り曲げは容易である。
【００２７】
図３は、この発明の異なる実施形態を示す。この軸受梱包箱は、緩衝材５の垂直押え部５ｄが内部に空間１２を有し、垂直方向の衝撃を吸収することが可能な構造とされている。この垂直押え部５ｄも、シート状素材（図示せず）の一部分を折り目９Ａ，９Ｂ，９Ｃ，９Ｄ，９Ｅに沿って折り曲げて成形されている。この構造であると、外部からの垂直方向の衝撃が軸受包装体３により一層伝わり難くなる。
【００２８】
図４は、この発明のさらに異なる実施形態を示す。この軸受梱包箱は、緩衝材５の下部水平部５ａ、軸受包装体３、および緩衝材５の上面接触部５ｅを、これらの外周にフィルム状または紐状の巻回部材１３を巻き付けることで互いに固定してある。この場合、接着剤による軸受包装体３と緩衝材５の固定は不要である。図５に示すように、緩衝材５の下部水平部５ａおよび上面接触部５ｅは、巻回部材１３の巻き付け方向の両端に切欠き１４，１５がそれぞれ形成されており、前記巻き付け方向の幅Ｗが軸受包装体３よりも狭くなっている。これにより、巻回部材１３が軸受包装体３に接触する状態で巻かれ、緩衝材５と軸受包装体３を強固に固定することができる。このように、緩衝材５と軸受包装体３とを互いに固定すると、軸受包装体３が垂直方向にも水平方向にも移動しない。
【００２９】
図の例では、緩衝材５の下部水平部５ａおよび上面接触部５ｅが共に、巻回部材１３の巻き付け方向の幅Ｗが軸受包装体３よりも狭くなっているが、下部水平部５ａおよび上面接触部５ｅのうち少なくとも片方だけを狭くしてもよい。その場合も、緩衝材５と軸受包装体３を強固に固定することができる。
【００３０】
図６および図７は、さらに異なる実施形態を示す。この軸受梱包箱の緩衝材５は、上下両端が個装箱４の天面部４ｃおよび底面部４ａの四隅部に接する柱部５ｆを有する。この緩衝材５は、図８に示す厚紙もしくはダンボール製の台紙、または不繊布、樹脂、もしくはゴム製のシートからなるシート状素材６を折り曲げて成形される。シート状素材６は、緩衝材５における下部水平部５ａとなる部位の四隅に接続して、柱部用部分６ａが設けられている。下部水平部５ａとなる部位に対して柱部用部分６ａを折り目１６に沿って図８の紙面手前側に折り曲げると共に、柱部用部分６ａを折り目１７，１８，１９に沿って柱状に巻き込むように折り曲げることにより、柱部６ｆが成形される。このような柱部５ｆを有していると、軸受梱包箱全体の垂直方向の外力に対する強度を向上させることができる。
【符号の説明】
【００３１】
１…軸受
３…軸受包装体
４…個装箱
４ａ…底面部
４ｃ…天面部
５…緩衝材
５ａ…下部水平部
５ｂ…上下連結部
５ｃ…上部水平部
５ｄ…垂直押え部
５ｅ…上面接触部
５ｆ…柱部
６…シート状素材
７，８，９，９Ａ，９Ｂ，９Ｃ，９Ｄ，９Ｅ，１６，１７，１８，１９…折り目
１１…接着剤
１２…空間
１３…巻回部材
【図１】
2014040258.tif 000003
【図２】
2014040258.tif 000004
【図３】
2014040258.tif 000005
【図４】
2014040258.tif 000006
【図５】
2014040258.tif 000007
【図６】
2014040258.tif 000008
【図７】
2014040258.tif 000009
【図８】
2014040258.tif 000010